(57)【要約】  【課題】  利用者が、事前に電子メールアドレスの登録等の処理を行うことなく、簡便な操作で電動車両のバッテリーの充電状況を確認することのできる充電システムおよび充電状況閲覧装置を提供する。  【解決手段】  充電装置１が充電状況を該充電装置１を識別する装置識別情報とともに充電状況管理装置２に通知し、識別情報取得部１５が非接触通信によりＩＣカード６からカード識別情報を取得した場合に、取得したカード識別情報を装置識別情報とともに充電状況管理装置２に通知し、充電状況閲覧装置４が非接触通信によりＩＣカード６からカード識別情報を取得した場合に、取得したカード識別情報を充電状況管理装置２に通知し、該カード識別情報に対応する充電状況情報を充電状況管理装置２から取得して表示する。【選択図】        図１
2012157163.tif 000002
【特許請求の範囲】
【請求項１】
電動車両のバッテリーに充電を行う充電システムであって、
電動車両のバッテリーに充電を行う充電装置と、
前記充電装置による充電の状況を示す充電状況情報を管理する充電状況管理装置と、
前記充電状況管理装置が管理する充電状況情報を通知する充電状況閲覧装置と
を具備し、
前記充電装置は、
予め設定された装置識別情報と前記充電状況情報とを含む充電情報を前記充電状況管理装置に通知する充電状況通知手段と、
ＩＣカードとの間で非接触通信を行い、該ＩＣカードに固有の情報をカード識別情報として取得する第１の識別情報取得手段と、
前記第１の識別情報取得手段が取得したカード識別情報と前記装置識別情報とを関連付けて前記充電状況管理装置に通知する識別情報通知手段と
を具備し、
前記充電状況閲覧装置は、
ＩＣカードとの間で非接触通信を行い、該ＩＣカードに固有の情報をカード識別情報として取得する第２の識別情報取得手段と、
前記第１の識別情報取得手段が取得したカード識別情報を前記充電状況管理装置に通知して充電状況情報の提供を要求する情報提供要求手段と、
前記情報提供要求手段の要求に応じて前記充電状況管理装置から提供された充電状況情報に基づいて充電状況を表示する表示手段と
を具備し、
前記充電状況管理装置は、
前記充電装置から通知された充電情報を記憶する記憶手段と、
前記充電状況閲覧装置から充電状況情報の提供が要求された際に、該充電状況閲覧装置から通知されたカード識別情報に基づいて、該カード識別情報と関連付けられた装置識別情報を特定し、該特定した装置識別情報を含む充電情報を前記記憶手段から抽出する充電情報抽出手段と、
前記充電情報抽出が抽出した充電情報に基づいて、該充電情報に含まれる充電状況情報を前記充電状況閲覧装置に提供する閲覧情報提供手段と
を具備する
ことを特徴とする充電システム。
【請求項２】
前記第２の識別情報取得手段は、自動販売機に配設されて電子決済を行う際にＩＣカードと非接触通信を行うＩＣカード処理手段であることを特徴とする請求項１記載の充電システム。
【請求項３】
電動車両のバッテリーへの充電状況を、ＩＣカードに固有の情報に基づいて管理する充電状況管理装置から取得して表示する充電状況閲覧装置であって、
ＩＣカードとの間で非接触通信を行い、該ＩＣカードに固有の情報をカード識別情報として取得する識別情報取得手段と、
前記識別情報取得手段が取得したカード識別情報を前記充電状況管理装置に通知して充電状況情報の提供を要求する情報提供要求手段と、
前記情報提供要求手段の要求に応じて前記充電状況管理装置から提供された充電状況情報に基づいて充電状況を表示する表示手段と
を具備することを特徴とする充電状況閲覧装置。
【請求項４】
前記識別情報取得手段は、自動販売機に配設されて電子決済を行う際にＩＣカードと非接触通信を行うＩＣカード処理手段であることを特徴とする請求項３記載の充電状況閲覧装置。
【発明の詳細な説明】
【技術分野】
【０００１】
本発明は、充電システムおよび充電状況閲覧装置に関し、特に、電動車両のバッテリーに対して充電を行う充電システムおよび充電状況閲覧装置に関する。
【背景技術】
【０００２】
近年、環境問題等を背景に、電気自動車、電動バイクならびに電動モータにより走行を補助する自転車などの電動車両が普及しつつある。電動車両は、その走行のためのエネルギー源となる電力をバッテリーから得るため、バッテリーに充電を行う必要がある。このバッテリーへの充電は、内燃機関を利用して走行する従来の自動車に対する燃料補給に比べて、長時間を要するものである。このため、バッテリーへの充電を効率良く行うことが、電動車両を普及させるための課題の１つとなっている。
【０００３】
バッテリーへの充電を効率良く行う方法としては、例えば、ショッピングモール等で駐車場に電動車両が駐車された際に、その駐車時間を利用してバッテリーへの充電を行うことが考えられる。
【０００４】
このような形態で、バッテリーへの充電を行う場合には、利用者から、その充電状況を確認したいといった要求が発生することが考えられる。
【０００５】
このような要求に答えることのできる技術としては、例えば、電子メールを利用して、充電装置または電動車両自体から、利用者の携帯電話に充電状況を通知するようにしたものが考えられる（例えば、特許文献１参照）。
【先行技術文献】
【特許文献】
【０００６】
【特許文献１】特開２００８−２４９６３３号公報
【発明の概要】
【発明が解決しようとする課題】
【０００７】
しかしながら、バッテリーへの充電状況を、電子メールを利用して利用者に通知する場合には、事前に電子メールのメールアドレスを登録する必要があり、充電装置の提供者（運営企業等）が異なる場合には、その都度、電子メールのメールアドレスを登録する必要が生じることも考えられる。
【０００８】
そこで、本発明は、利用者が、事前に電子メールアドレスの登録等の処理を行うことなく、簡便な操作で電動車両のバッテリーの充電状況を確認することのできる充電システムおよび充電状況閲覧装置を提供することを目的とする。
【課題を解決するための手段】
【０００９】
上述した目的を達成するため、請求項１の発明は、電動車両のバッテリーに充電を行う充電システムであって、電動車両のバッテリーに充電を行う充電装置と、前記充電装置による充電の状況を示す充電状況情報を管理する充電状況管理装置と、前記充電状況管理装置が管理する充電状況情報を通知する充電状況閲覧装置とを具備し、前記充電装置は、予め設定された装置識別情報と前記充電状況情報とを含む充電情報を前記充電状況管理装置に通知する充電状況通知手段と、ＩＣカードとの間で非接触通信を行い、該ＩＣカードに固有の情報をカード識別情報として取得する第１の識別情報取得手段と、前記第１の識別情報取得手段が取得したカード識別情報と前記装置識別情報とを関連付けて前記充電状況管理装置に通知する識別情報通知手段とを具備し、前記充電状況閲覧装置は、ＩＣカードとの間で非接触通信を行い、該ＩＣカードに固有の情報をカード識別情報として取得する第２の識別情報取得手段と、前記第１の識別情報取得手段が取得したカード識別情報を前記充電状況管理装置に通知して充電状況情報の提供を要求する情報提供要求手段と、前記情報提供要求手段の要求に応じて前記充電状況管理装置から提供された充電状況情報に基づいて充電状況を表示する表示手段とを具備し、前記充電状況管理装置は、前記充電装置から通知された充電情報を記憶する記憶手段と、前記充電状況閲覧装置から充電状況情報の提供が要求された際に、該充電状況閲覧装置から通知されたカード識別情報に基づいて、該カード識別情報と関連付けられた装置識別情報を特定し、該特定した装置識別情報を含む充電情報を前記記憶手段から抽出する充電情報抽出手段と、前記充電情報抽出が抽出した充電情報に基づいて、該充電情報に含まれる充電状況情報を前記充電状況閲覧装置に提供する閲覧情報提供手段とを具備することを特徴とする。
【００１０】
また、請求項２の発明は、請求項１の発明において、前記第２の識別情報取得手段は、自動販売機に配設されて電子決済を行う際にＩＣカードと非接触通信を行うＩＣカード処理手段であることを特徴とする。
【００１１】
また、請求項３の発明は、電動車両のバッテリーへの充電状況を、ＩＣカードに固有の情報に基づいて管理する充電状況管理装置から取得して表示する充電状況閲覧装置であって、ＩＣカードとの間で非接触通信を行い、該ＩＣカードに固有の情報をカード識別情報として取得する識別情報取得手段と、前記識別情報取得手段が取得したカード識別情報を前記充電状況管理装置に通知して充電状況情報の提供を要求する情報提供要求手段と、前記情報提供要求手段の要求に応じて前記充電状況管理装置から提供された充電状況情報に基づいて充電状況を表示する表示手段とを具備することを特徴とする。
【００１２】
また、請求項４の発明は、請求項３の発明において、前記識別情報取得手段は、自動販売機に配設されて電子決済を行う際にＩＣカードと非接触通信を行うＩＣカード処理手段であることを特徴とする。
【発明の効果】
【００１３】
本発明によれば、電動車両のバッテリーに対する充電状況を、アドレス等の事前登録を行うことなく、遠隔地から確認することが可能となる。
【図面の簡単な説明】
【００１４】
【図１】充電システムの構成例を示すブロック図である。
【図２】充電システムの一部の詳細を示すブロック図である。
【図３】充電システムの動作の流れを示した図である。
【図４】充電システムの一部の詳細を示すブロック図である。
【図５】充電システムの動作の流れを示した図である。
【図６】充電状況の表示例を示した図である。
【図７】電子決済に対応した自動販売機の構成例を示した図である。
【図８】電子決済に対応した自動販売機を充電状況閲覧装置として利用する場合の構成例を示した図である。
【発明を実施するための形態】
【００１５】
以下、本発明に係る充電システムおよび充電状況閲覧装置の一実施の形態について、添付図面を参照して詳細に説明する。
【実施例１】
【００１６】
図１は、充電システムの構成例を示すブロック図である。充電システムは、複数の充電装置１−１〜１−ｎと、充電状況管理装置２、複数の充電状況閲覧装置４−１〜４−ｍにより構成される。
【００１７】
充電装置１−１〜１−ｎは、それぞれ、電気的に接続された電動車両３−１〜３−ｎに対して、そのバッテリーを充電するとともに、充電状況を充電状況管理装置２に定期的に通知する。また、充電装置１−１〜１−ｎは、ＩＣカード６から充電状況を通知する際に必要となる識別情報を取得する。なお、当然のことであるが、充電装置１−１〜１−ｎと電動車両３−１〜３−ｎは、常に接続されているわけではなく、また、その接続の組み合わせも任意である。
【００１８】
充電状況管理装置２は、充電装置１−１〜１−ｎのそれぞれと、通信可能に接続されて充電装置１−１〜１−ｎのそれぞれの電動車両に対する充電状況を管理するとともに、充電状況閲覧装置４−１〜４−ｍのそれぞれとも通信可能に接続されて電状況閲覧装置４−１〜４−ｍから要求があった際に、管理している充電状況を通知する。
【００１９】
なお、充電装置１−１〜１−ｎのそれぞれと充電状況管理装置２との通信、充電状況管理装置２と充電状況閲覧装置４−１〜４−ｍのそれぞれとの通信は、図１に示すように、インターネット５を介して行ってもよいが、インターネット５を介さずに電話網や専用線、ＬＡＮ（Local Area Network）を利用して行うようにしてもよい。
【００２０】
この図１に示した充電システムは、大別して、ＩＣカードの識別情報を充電システムに登録する処理と、ＩＣカードの識別情報を用いて充電状況を閲覧（確認）する処理とに分けられる。
【００２１】
まず、ＩＣカードの識別情報を充電システムに登録する処理について説明する。図２は、充電システムの一部の詳細を示すブロック図である。
【００２２】
同図に示すように、充電装置１は、制御部１０と、記憶部１１、通信部１２、充電制御部１３、充電部１４、識別情報取得部１５を有し、識別情報取得部１５は、制御部１６と記憶部１７、ＲＷ部１８、アンテナ部１９を有している。なお、充電装置１は、充電装置１−１〜１−ｎのうち、任意の１つに相当するものである。
【００２３】
制御部１０は、充電装置１の全体を制御するもので、演算処理を行うプロセッサ等で構成され、プログラムに従って動作するものである。
【００２４】
記憶部１１は、制御部１０が動作する際に必要な情報のほか、充電装置１を識別するための充電装置１に固有のＩＤ（識別情報）を記憶するもので、半導体を利用した記憶素子等で構成される。
【００２５】
通信部１２は、充電状況管理装置２と通信を行うもので、例えば、ネットワークアダプタにより構成されるものである。
【００２６】
充電制御部１３は、充電部１４による電動車両３のバッテリーへの充電を制御するもので、演算処理を行うプロセッサ等で構成され、プログラムに従って動作するものである。
【００２７】
充電部１４は、電動車両３のバッテリーへ充電を行うための電気回路である。
【００２８】
識別情報取得部１５は、ＩＣカード６との間で無線による非接触通信（短距離通信）を行い、ＩＣカード６から識別情報の取得を行う。
【００２９】
制御部１６は、識別情報取得部１５の全体を制御するもので、演算処理を行うプロセッサ等で構成され、プログラムに従って動作するものである。
【００３０】
記憶部１７は、制御部１６が動作する際に必要な情報のほか、識別情報取得部１５を識別するための識別情報取得部１５に固有のＩＤ（識別情報）等を記憶するもので、半導体を利用した記憶素子等で構成される。また、記憶部１７は、充電装置１やＩＣカード６から取得した情報を必要に応じて一時記憶する。
【００３１】
ＲＷ部１８は、ＩＣカード６との間で無線による非接触通信を行い、ＩＣカード６からの識別情報の読み取りを行う。
【００３２】
アンテナ部１９は、ＲＷ部１８がＩＣカード６との間で非接触通信を行うためのアンテナである。
【００３３】
一方、ＩＣカード６は、電子決済や入退室管理等に利用するもので、制御部６０とアンテナ部６１、ＩＤ格納部６２を有している。
【００３４】
制御部６０は、ＩＣカード６の全体を制御するとともに、識別情報取得部との間で非接触通信を行うものである。
【００３５】
アンテナ部６１は、識別情報取得部１５等との間で非接触通信を行うためのアンテナである。
【００３６】
ＩＤ格納部６２は、ＩＣカード６に固有となるＩＤ（識別情報）を格納する。例えば、識別情報取得部１５との間で、Ｆｅｌｉｃａ（登録商標）の規格を用いて非接触通信を行う場合には、このＩＤ格納部６２と制御部６０は、Ｆｅｌｉｃａチップに相当し、識別情報としては、Ｆｅｌｉｃａチップの製造番号であるＩＤｍが相当する。
【００３７】
なお、ＩＣカード６は、同等の機能を有する他の媒体や装置、例えば、Ｆｅｌｉｃａチップが搭載された携帯電話機も含むものとする。
【００３８】
また、充電状況管理装置２は、制御部２０と記憶部２１、通信部２２を有している。充電状況管理装置２は、サーバとして利用可能なコンピュータにより構成され、このコンピュータをプログラムに従って動作させることで、制御部２０等を実現する。
【００３９】
制御部２０は、充電状況管理装置２の全体を制御するもので、充電装置１から通知された充電状況を管理するとともに、充電状況閲覧装置４（充電状況閲覧装置４−１〜４−ｍのうち、任意の１つに相当するもの）から要求があった際に、対応する充電装置１の充電状況を通知する。なお、対応する充電装置１を特定する方法については後述する。
【００４０】
記憶部２１は、制御部２０を動作させるプログラムのほか、各充電装置１から通知された充電状況を記憶する。この記憶部２１は、例えば、磁気ディスクを用いた記憶装置等で構成される。
【００４１】
通信部２２は、充電装置１や充電状況閲覧装置４との間で通信を行うもので、例えば、ネットワークアダプタにより構成されるものである。
【００４２】
次に、ＩＣカードが有する識別情報を充電システムに登録する際の充電システムの動作の流れを説明する。図３は、充電システムの動作の流れを示した図である。
【００４３】
まず、充電システムを動作させるため、充電装置１の電源をＯＮにすると（ステップ１０１）、制御部１０と識別情報取得部１５の両者に電力が供給され、これらが動作を開始する。なお、充電状況管理装置２は、メンテナンス等で必要となる場合を除き、常時、電源ＯＮの状態であり、ここでは、既に電源ＯＮとなっているものとする。
【００４４】
制御部１０と識別情報取得部１５の両者が動作を開始すると、まず、制御部１０が、記憶部１１に記憶されている識別情報（以下、充電装置識別情報と称する）を、識別情報取得部１５に通知し（ステップ１０２）、識別情報取得部１５は、記憶部１７に充電装置識別情報を記憶する。
【００４５】
その後、電動車両３が駐車（駐輪を含む）され、充電装置１と接続される等の充電のための準備が整うと、制御部１０は、充電制御部１３を動作させ、電動車両３のバッテリーへの充電を開始する（ステップ１０３）。
【００４６】
充電が開始されると、制御部１０は、充電制御部１３から定期的に充電状況を取得し、取得した充電状況と充電装置識別情報とを充電情報として通信部１２を介して充電状況管理装置２に通知する（ステップ１０４−１〜１０４−ｌ）。このとき、充電状況管理装置２は、通知された充電情報を記憶部２１に記憶する。なお、充電状況管理装置２は、充電情報の通知があった際には、同じ充電装置識別情報を有する充電情報を削除し、最新の充電情報のみを記憶するようにしてもよい。
【００４７】
また、制御部１０は、充電が開始されたことを、識別情報取得部１５にも通知する（ステップ１０５）。ただし、この識別情報取得部１５への充電開始の通知は、行わなくてもよい。
【００４８】
その後、充電を開始した電動車両３の利用者が、ＩＣカード６を識別情報取得部１５のアンテナ部１９の近傍に翳すと、ＩＣカード６と識別情報取得部１５との間で非接触通信が行われ（ステップ１０６）、この非接触通信により、ＲＷ部１８がＩＣカード６のＩＤ格納部６２に格納されている識別情報（以下、カード識別情報と称する）を読み出す（ステップ１０７）。
【００４９】
識別情報取得部１５は、ＩＣカード６と識別情報取得部１５との間で非接触通信が行われると、この非接触通信で取得したカード識別情報と、記憶部１７に記憶している充電装置識別情報とを組にして、充電状況管理装置２に通知する（ステップ１０８）。
【００５０】
このような処理により、ＩＣカード６の識別情報が充電システムに登録されることとなる。
【００５１】
なお、制御部１０は、充電装置１と電動車両３の電気的な接続が解除された場合、つまり、電動車両３のバッテリーへの充電が終了して電動車両３が移動した場合に、この旨を充電状況管理装置２に通知し（ステップ１０９）、当該通知に基づいて、充電状況管理装置２が関連する充電情報を記憶部２１から削除する（ステップ１１０）。ただし、充電状況管理装置２は、後述するようにカード識別情報から最新の充電情報を特定するため、ステップ１０９とステップ１１０の処理を行わなくとも、例えば、電動車両３が充電終了後に、別の充電装置１で充電を開始した場合でも、適切な充電状況を通知することができる。
【００５２】
次に、ＩＣカードの識別情報を用いて充電状況を閲覧（確認）する処理について説明する。図４は、充電システムの一部の詳細を示すブロック図である。
【００５３】
同図に示すように、充電状況閲覧装置４は、制御部４０と記憶部４１、ＲＷ部４２、アンテナ部４３、通信部４４、表示部４５を有している。
【００５４】
制御部４０は、充電状況閲覧装置４の全体を制御するもので、演算処理を行うプロセッサ等で構成され、プログラムに従って動作するものである。
【００５５】
記憶部４１は、制御部４０が動作する際に必要な情報を記憶するもので、半導体を利用した記憶素子等で構成される。また、記憶部４１は、ＩＣカード６から取得した情報を必要に応じて一時記憶する。
【００５６】
ＲＷ部４２は、ＩＣカード６との間で無線による非接触通信を行い、ＩＣカード６からの識別情報の読み取りを行う。
【００５７】
アンテナ部４３は、ＲＷ部４２がＩＣカード６との間で非接触通信を行うためのアンテナである。
【００５８】
通信部４４は、充電状況管理装置２と通信を行うもので、例えば、ネットワークアダプタにより構成されるものである。
【００５９】
表示部４５は、充電状況を表示するものであり、液晶表示器や、発光素子を用いたインジケータ等により構成される。
【００６０】
この充電状況閲覧装置４は、充電装置１とは異なる場所に設置して利用するもので、例えば、充電装置１がショッピングモール等の駐車場に併設されているとすれば、当該ショッピングモールの店舗内または店舗近傍等に設置される。
【００６１】
次に、ＩＣカードの識別情報を用いて充電状況を閲覧（確認）する際の充電システムの動作の流れを説明する。図５は、充電システムの動作の流れを示した図である。なお、ここでは、図３を参照して説明したＩＣカードの識別情報を充電システムに登録する処理が終了しているものとする。
【００６２】
電動車両３の利用者がＩＣカード６を充電状況閲覧装置４アンテナ部４３の近傍に翳すと、ＩＣカード６と充電状況閲覧装置４との間で非接触通信が行われ（ステップ１５１）、この非接触通信により、ＲＷ部４２がＩＣカード６のＩＤ格納部６２に格納されているカード識別情報を読み出す（ステップ１５２）。
【００６３】
充電状況閲覧装置４は、ＩＣカード６との間で非接触通信が行われると、この非接触通信で取得したカード識別情報を充電状況管理装置２に通知して、充電状況を示す情報の提供を要求する（ステップ１５３）。
【００６４】
充電状況閲覧装置４からの要求があると、充電状況管理装置２は、当該要求に含まれるカード識別情報を特定し、先に識別情報取得部１５から通知された（図３のステップ１０８で通知された）充電装置識別情報とカード識別情報の組から、特定したカード識別情報に対応する充電装置識別情報を特定し、特定した充電装置識別情報を含む充電情報（ステップ１０４−１〜で取得したもの）から、充電状況を特定する（ステップ１５４）。このとき、充電状況管理装置２は、特定した充電装置識別情報を含む充電情報が複数存在する場合には、最新の充電情報から充電状況を特定する。
【００６５】
そして、充電状況を特定した充電状況管理装置２は、充電状況閲覧装置４に特定した充電状況を通知し（ステップ１５５）、これを受けた充電状況閲覧装置４は、充電状況を示す画面を表示部４５に表示する（ステップ１５６）。この画面は、例えば、図６（ａ）に示すようなものとなる。また、表示部４５がインジケータにより充電状況を表示する場合には、その表示は、図６（ｂ）に示すようなものとなる。
【実施例２】
【００６６】
実施例１では、充電状況閲覧装置４を、充電状況を閲覧することを目的とした専用の装置として説明したが、実施例２では、他の装置に組み込む場合を説明する。
【００６７】
例えば、電子決済に対応した自動販売機は、図７に示す自動販売機８のように、制御装置８０と、表示装置８１、通信装置８２、硬貨処理装置８３、紙幣処理装置８４、電子決済装置８５を有している。なお、図７では省略しているが、商品を保管、排出するための構成も有しているのはもちろんである。
【００６８】
また、電子決済装置８５は、制御部８６と記憶部８７、ＲＷ部８８、アンテナ部８９を有している。
【００６９】
なお、各部の詳細説明は省略するが、通信装置８２は、電子決済に関する情報を管理する決済センター９と通信を行うのに用いられるものである
この自動販売機８を、実施例１で説明した充電状況閲覧装置４と同様の機能を有する装置として用いる場合、図８に示すように、自動販売機８に、充電状況閲覧装置４６を追加する。この充電状況閲覧装置４６は、制御部４７と記憶部４８を有している。
【００７０】
この自動販売機８と充電状況閲覧装置４６の各部は、充電状況閲覧装置４と次のように対応する。
【００７１】
充電状況閲覧装置４の制御部４０は、充電状況閲覧装置４６の制御部４７と対応し、充電状況閲覧装置４の記憶部４１は、充電状況閲覧装置４６の記憶部４８と対応する。
【００７２】
また、充電状況閲覧装置４のＲＷ部４２は、電子決済装置８５のＲＷ部８８と対応し、充電状況閲覧装置４のアンテナ部４３は、電子決済装置８５のアンテナ部８９と対応する。
【００７３】
そして、充電状況閲覧装置４の通信部４４は、通信装置８２と対応し、充電状況閲覧装置４の表示部４５は、表示装置８１と対応する。
【００７４】
なお、自動販売機８の各部は、対応する充電状況閲覧装置４の各部と同様に動作し、充電状況の閲覧を可能とする。
【００７５】
このように、自動販売機８の各部を流用することで、充電状況閲覧装置４と同様の装置を実現することができる。
【００７６】
なお、図８では、充電状況閲覧装置４６を追加した場合を示したが、電子決済装置８５の制御部８６と記憶部８７を、それぞれ、充電状況閲覧装置４の制御部４０、記憶部４１と対応させて動作させることができれば、制御部８６を動作させるプログラムに多少の変更を加えるだけで、自動販売機８を充電状況閲覧装置４と同様の装置として動作させることも可能である。
【符号の説明】
【００７７】
１、１−１〜１−ｎ    充電装置
２    充電状況管理装置
３、３−１〜３−ｎ    電動車両
４−１〜４−ｍ    充電状況閲覧装置
５    インターネット
６    ＩＣカード
８    自動販売機
９    決済センター
１０    制御部
１１    記憶部
１２    通信部
１３    充電制御部
１４    充電部
１５    識別情報取得部
１６    制御部
１７    記憶部
１８    ＲＷ部
１９    アンテナ部
２０    制御部
２１    記憶部
２２    通信部
４０    制御部
４１    記憶部
４２    ＲＷ部
４３    アンテナ部
４４    通信部
４５    表示部
４６    充電状況閲覧装置
４７    制御部
４８    記憶部
６０    制御部
６１    アンテナ部
６２    ＩＤ格納部
８０    制御装置
８１    表示装置
８２    通信装置
８３    硬貨処理装置
８４    紙幣処理装置
８５    電子決済装置
８６    制御部
８７    記憶部
８８    ＲＷ部
８９    アンテナ部
【図１】
2012157163.tif 000003
【図２】
2012157163.tif 000004
【図３】
2012157163.tif 000005
【図４】
2012157163.tif 000006
【図５】
2012157163.tif 000007
【図６】
2012157163.tif 000008
【図７】
2012157163.tif 000009
【図８】
2012157163.tif 000010